(57)【要約】      （修正有）【課題】通常の平型マスクやプリーツ状マスクでありながら、マスクと顔面間に空間を生じさせて使用でき、着用時の違和感を無くすとともに低コストで実現するアダプターを提供する。【解決手段】衛生マスクと着用者の顔面の間に介在されるアダプターにして、弾性を有する軟質素材からなる線材により構成し、線材は環状に構成した線材からなる環状基部１と、環状基部の対向する上下の線材間に山型に隆起して掛け渡される縦方向線材２と、環状基部の対向する左右の線材間に山型に隆起して掛け渡される横方向線材３からなり、縦方向線材２と横方向線材３の合計本数は４本以下とする。【選択図】図１
0003227711.tif 000002
【実用新案登録請求の範囲】
【請求項１】
衛生マスクと着用者の顔面の間に介在される弾性を有する軟質素材からなる線材により構成されるアダプターにして、環状に構成した線材からなる環状基部と、環状基部の対向する上下の線材間に山型に隆起して掛け渡される縦方向線材と、環状基部の対向する左右の線材間に山型に隆起して掛け渡される横方向線材とからなり、上記の縦方向線材と横方向線材の合計本数は４本以下であることを特徴とする衛生マスク用アダプター。
【請求項２】
環状基部と、間隔を置いて配した２本の縦方向線材と、１本の横方向線材からなる請求項１記載の衛生マスク用アダプター。
【請求項３】
環状基部と縦方向線材と横方向線材を合成樹脂により一体に成形した請求項１または２記載の衛生マスク用アダプター。
【請求項４】
合成樹脂はシリコンである請求項３記載の衛生マスク用アダプター。
【請求項５】
合成樹脂はプラスチックである請求項３記載の衛生マスク用アダプター。
【考案の詳細な説明】
【技術分野】
【０００１】
本願考案は衛生マスクと着用者の顔面の間に介在されて使用される衛生マスク用アダプターに関する。
【背景技術】
【０００２】
着用者の鼻と口を覆うことにより、着用者の唾、鼻水などの体液からなる飛沫の飛散を防止したり、細菌やウイルスの侵入を防止する衛生マスクが広く用いられている。
【０００３】
前記の衛生マスクは不織布や綿織物により平型に構成したもの、前面をプリーツ状に構成したものが一般的である。
【０００４】
前記の衛生マスクは両端のループを両耳にかけることによりマスク本体を顔面に密着させて使用に供されるが、そのために息苦しさを生じたり、マスクへ口紅などの化粧品が付着する問題があった。
【０００５】
そこで、マスクを人間の顔の形に合わせて立体的に縫製したり、立体形状を維持するために可撓性を有する枠材を内部に設ける提案がなされている（特許文献１）。また、衛生マスクと着用者の顔面の間に介在されて使用されるメッシュ状のドーム型のアダプターも提案されている（特許文献２）。
【先行技術文献】
【特許文献】
【０００６】
【特許文献１】実開昭５３−１１０７９４
【特許文献２】特開２００９−７２５２２
【考案の開示】
【考案が解決しようとする課題】
【０００７】
前記の従来技術によれば、マスクと顔面間に空間が生じるので息苦しさや化粧品が付着する問題が解消される。
【０００８】
しかしながら、前者の従来技術においては立体的に縫製したり枠材を内部に設けるために製造コストが嵩む問題を生じ、一方、洗濯して再使用することもできなかった。
【０００９】
特許文献２記載の従来技術は、環状に構成した線材からなる環状基部と、環状基部の対向する上下の線材間に山型に隆起して掛け渡される５本の縦方向線材と、環状基部の対向する左右の線材間に山型に隆起して掛け渡される５本の横方向線材からなるメッシュ状のものであり、環状基部は着用者の顔面の凹凸を曲成している。
【００１０】
しかしながら、人間の顔面の形状は一様でなく、環状基部の当接面が必ずしも着用者の顔面の凹凸にフィットするわけでない。一方、アダプターは衛生マスクと着用者の顔面の間に介在されるので押圧力を持って顔面に当接するものであり、環状基部の当接面は場所によって強く当接したり、弱く当接して押圧力が均等に分散されず、強く当接する箇所において着用者が違和感や痛みを感じるおそれがある。
【００１１】
そのために、特許文献２記載の従来技術においては、環状基部の当接面に弾力性のスポンジを配しているが、環状基部自体の形状は固定されているので押圧力が均等に分散されたわけではなく、単に当たりがソフトになった効果しか得られなく、一方、別部材のスポンジを別途要するとともに接合作業を要し製造コストが嵩む問題があった。
【００１２】
本願考案は前記の問題点に鑑みて創作されたものであり、通常の平型マスクやプリーツ状マスクであっても、マスクと顔面間に空間を生じさせることを可能とするための衛生マスク用アダプターを、着用時の違和感を無くすとともに低コストで提供することを目的として創作されたものである。
【課題を解決するための手段】
【００１３】
すなわち、本願考案は、衛生マスクと着用者の顔面の間に介在される弾性を有する軟質素材からなる線材により構成されるアダプターにして、環状に構成した線材からなる環状基部と、環状基部の対向する上下の線材間に山型に隆起して掛け渡される縦方向線材と、環状基部の対向する左右の線材間に山型に隆起して掛け渡される横方向線材とからなり、上記の縦方向線材と横方向線材の合計本数は４本以下であることを特徴とする。
【００１４】
また、請求項２記載の考案は前記の衛生マスク用アダプターにおいて、アダプターは環状基部と、間隔を置いて配した２本の縦方向線材と、１本の横方向線材からなることを特徴とする。
【００１５】
また、請求項３記載の考案は前記の衛生マスク用アダプターにおいて、環状基部と縦方向線材と横方向線材を合成樹脂により一体に成形したことを特徴とする。
【００１６】
また、請求項４記載の考案は前記の衛生マスク用アダプターにおいて、合成樹脂はシリコンであることを特徴とする。
【００１７】
また、請求項５記載の考案は前記の衛生マスク用アダプターにおいて、合成樹脂はプラスチックであることを特徴とする。
【考案の効果】
【００１８】
以上の構成よりなる本願考案の衛生マスク用アダプターによれば、環状に構成した線材からなる環状基部と、環状基部の対向する上下の線材間に山型に隆起して掛け渡される縦方向線材と、環状基部の対向する左右の線材間に山型に隆起して掛け渡される横方向線材とからなるので、これを衛生マスクと着用者の顔面の間に介在させればマスクと顔面間に空間が生じるとともに通気性が確保されているので息苦しさや化粧品が付着する問題が解消される。
【００１９】
この場合、衛生マスク自体は安価な通常の平型マスクやプリーツ状マスクを使用することができるので経済的であり、また、衛生マスクを洗濯することもできる。
【００２０】
さらに、本願考案においてはアダプターを弾性を有する軟質素材からなる線材により構成することに加え、縦方向線材と横方向線材の合計本数を４本以下にしているので、縦方向線材、横方向線材の環状基部からの始点に挟まれる環状基部の寸法の長さを確保でき、この箇所において着用者の顔面の形状に沿って環状基部が自由に撓んでフィットすることが可能となり、押圧力が均等に分散する結果、着用者が違和感や痛みを感じるおそれがない。
【図面の簡単な説明】
【００２１】
【図１】本願考案の衛生マスク用アダプターの斜視図。
【図２】同上、側面図。
【図３】同上、平面図。
【図４】同上、底面図。
【図５】同上、正面図。
【考案を実施するための最良の形態】
【００２２】
以下、本願考案の衛生マスク用アダプターの具体的実施例を添付図面に基づいて説明する。本願考案の衛生マスク用アダプターは環状に構成した線材からなる環状基部１と、環状基部の対向する上下の線材間に山型に隆起して掛け渡される縦方向線材２と、環状基部の対向する左右の線材間に山型に隆起して掛け渡される横方向線材３とからなる。その結果、アダプター内には空間Ｓが確保されることとなる。
【００２３】
本願考案の衛生マスク用アダプターは弾性を有する軟質素材からなる線材により構成されるものであり、例えばシリコンやプラスチックなどの合成樹脂で一体に成形すると低コストで製造することができる。
【００２４】
ここでは、アダプター間隔を置いて配した２本の縦方向線材２と、１本の横方向線材３で構成することにより、図５で示すように１１時位置から時計回りに２本の縦方向線材の基部に挟まれる環状基部、縦方向線材の基部と横方向線材の基部に挟まれる環状基部、横方向線材の基部と縦方向線材の基部に挟まれる環状基部、２本の縦方向線材の基部に挟まれる環状基部、縦方向線材の基部と横方向線材の基部に挟まれる環状基部、横方向線材の基部と縦方向線材の基部に挟まれる環状基部の６箇所が自由に撓んで着用者の顔面にフィットすることになる。なお、横方向線材３はもう一本増やしてもよい。
【符号の説明】
【００２５】
１      環状基部
２      縦方向線材
３      横方向線材
Ｓ      空間
【図１】
0003227711.tif 000003
【図２】
0003227711.tif 000004
【図３】
0003227711.tif 000005
【図４】
0003227711.tif 000006
【図５】
0003227711.tif 000007